(57)【要約】【課題】既存する他の機器が認識できない新しいファイルシステムを用いて映像を記録し、記録したディスクを既存機器に入れると、フォーマット（ファイルシステム初期化）を誘致し、誤って大事な映像を消去してしまうことがあった。【解決手段】ディスク装着時に記録禁止フラグメモリー手段４に記憶された記録禁止フラグを確認し、記録禁止状態の時にディスク１上の記録禁止フラグを記録可能状態に設定する第１の記録可能状態設定手段５と、ディスク搬出時に記録履歴情報記憶手段６の情報を確認し、記録が行われていた場合、もしくは記録禁止フラグメモリー手段４に記憶された記録禁止フラグが記録禁止状態の時に、ディスク１上の記録禁止フラグを記録禁止状態に設定する第１の記録禁止状態設定手段７とを備える。【選択図】図１
2008117486.tif 000002
【特許請求の範囲】
【請求項１】
記録媒体としてディスクを用いたディスク記録再生装置において、
ディスクの特定領域に設定された記録済み部分に対する保護のための記録禁止フラグを読み出す記録禁止フラグ読出し判定手段と、
前記記録禁止フラグを書き込む記録禁止フラグ書込み手段と、
ディスク装着時に前記記録禁止フラグ読出し判定手段により読み出された前記記録禁止フラグを記憶する記録禁止フラグメモリー手段と、
ディスク装着時に前記記録禁止フラグメモリー手段に記憶された前記記録禁止フラグを確認し、記録禁止状態の時にディスク上の前記記録禁止フラグを記録可能状態に設定する第１の記録可能状態設定手段と、
ディスクへの情報の記録の履歴を記憶する記録履歴情報記憶手段と、
ディスク搬出時に前記記録履歴情報記憶手段の情報を確認し、記録が行われていた場合、もしくは前記ディスク装着時の記録禁止フラグメモリー手段に記憶された記録禁止フラグが記録禁止状態の時に、ディスク上の前記記録禁止フラグを記録禁止状態に設定する第１の記録禁止状態設定手段と、
を備えたことを特徴とするディスク記録再生装置。
【請求項２】
記録媒体としてディスクを用いたディスク記録再生装置において、
ディスクの特定領域に設定された記録済み部分に対する保護のための記録禁止フラグを読み出す記録禁止フラグ読出し判定手段と、
前記記録禁止フラグを書き込む記録禁止フラグ書込み手段と、
ディスク装着時に前記記録禁止フラグ読出し判定手段により読み出された前記記録禁止フラグを記憶する記録禁止フラグメモリー手段と、
ディスクへの情報の記録開始時に、前記記録禁止フラグメモリー手段に記憶されている前記記録禁止フラグの状態を確認し、記録禁止状態の時にディスク上の前記記録禁止フラグの状態を記録可能状態に設定する第２の記録可能状態設定手段と、
記録停止時にディスク上の前記記録禁止フラグの状態を記録禁止状態に設定する第２の記録禁止状態設定手段と、
を備えたことを特徴とするディスク記録再生装置。
【請求項３】
自動記録保護モードと通常記録保護モードとを選択するモード選択手段と、
通常記録保護モードが選択された時には、前記第１の記録禁止状態設定手段と前記第１の記録可能状態設定手段、若しくは前記第２の記録禁止状態設定手段と前記第２の記録可能状態設定手段による前記記録禁止フラグの制御を停止するモード制御手段と、
を備えたことを特徴とする請求項１または２に記載のディスク記録再生装置。
【請求項４】
ディスク搬出時に、前記記録履歴情報記憶手段の情報を確認し、ディスク上に記録情報が存在しない場合に、前記記録禁止フラグを記録可能状態に設定する第３の記録可能状態設定手段を備えたことを特徴とする請求項１から３の何れかに記載のディスク記録再生装置。
【発明の詳細な説明】
【技術分野】
【０００１】
本発明は、着脱可能なディスク記録媒体に映像を記録、再生するディスク記録再生装置に関するものである。
【背景技術】
【０００２】
従来、ＡＶ商品において機器がどのファイルシステムを利用して記録するかをユーザーが認識して使用し、その上でそのファイルシステムに対応した機器で使用するようユーザーが判断することが求められている。
【０００３】
また、ディスクを保護する手段としては、ディスクケースに取り付けられているメカニカルなプロテクトをユーザーが手動で設定し、機器はメカニカルなプロテクトのオン状態を認識した場合に記録を行わないようにすることにより映像を保護する手段がとられている。
【０００４】
特許文献１においては、記録媒体にデータの書き込みを禁止する書込禁止状態とデータの書き込みを許可する書込許可状態のいずれの状態であるかを示す書込制御情報を書き込み、当該書込制御情報に基づいて記録媒体へのデータの書き込みを制御することにより、記録媒体への不用意なデータの書き込み及び消去を防止する技術が開示されている。
【特許文献１】特開２００３−２７２２９２号公報
【発明の開示】
【発明が解決しようとする課題】
【０００５】
既存する他の機器が使用するディスク記録媒体と同じ記録媒体を使用し、その記録媒体内に、既存する他の機器が認識できない新しいファイルシステムを用いて映像を記録する装置において、記録したディスクをその既存する他の機器で使用しようとした時に、その機器はファイルシステムが認識できないため未知のファイルシステムが使用されていると判断し、多くの機器はフォーマット（ファイルシステム初期化）を誘致するよう動作することが予想される。ユーザーはその誘致に従い誤って大事な映像を記録したディスクをフォーマットしてしまい、映像を消去してしまうことが考えられる。
【０００６】
このような記録再生装置においては、ユーザーが誤って映像を消去させるような操作をさせないように映像を保護する手段を持つことが要求されている。
【０００７】
本発明は、機器がどのファイルシステムを利用して記録するかをユーザーが認識して使用すること無く、既存する他の機器が認識できない新しいファイルシステムを用いて映像が記録されたディスクを自動的に保護し、ユーザーが誤って映像を消去させないようにする記録装置を提供することを目的としてなされたものである。
【課題を解決するための手段】
【０００８】
この課題を解決するために本発明のディスク記録再生装置は、記録媒体としてディスクを用いたディスク記録再生装置において、ディスクの特定領域に設定された記録済み部分に対する保護のための記録禁止フラグを読み出す記録禁止フラグ読出し判定手段と、前記記録禁止フラグを書き込む記録禁止フラグ書込み手段と、ディスク装着時に前記記録禁止フラグ読出し判定手段により読み出された前記記録禁止フラグを記憶する記録禁止フラグメモリー手段と、ディスク装着時に前記記録禁止フラグメモリー手段に記憶された前記記録禁止フラグを確認し、記録禁止状態の時にディスク上の前記記録禁止フラグを記録可能状態に設定する第１の記録可能状態設定手段と、ディスクへの情報の記録の履歴を記憶する記録履歴情報記憶手段と、ディスク搬出時に前記記録履歴情報記憶手段の情報を確認し、記録が行われていた場合、もしくは前記ディスク装着時の記録禁止フラグメモリー手段に記憶された記録禁止フラグが記録禁止状態の時に、ディスク上の前記記録禁止フラグを記録禁止状態に設定する第１の記録禁止状態設定手段と、を備える。
【発明の効果】
【０００９】
上記構成により、同じディスク記録媒体を使用するが、新しいファイルシステムを認識できない他の機器に対して、ファイルシステム初期化（フォーマット）を誘致させないようにでき、ユーザーが意識することなく、ディスクの記録禁止フラグのオン／オフが制御できるという有利な効果が得られる。
【発明を実施するための最良の形態】
【００１０】
本発明のディスク記録再生装置は、記録媒体としてディスクを用いたディスク記録再生装置において、ディスクの特定領域に設定された記録済み部分に対する保護のための記録禁止フラグを読み出す記録禁止フラグ読出し判定手段と、前記記録禁止フラグを書き込む記録禁止フラグ書込み手段と、ディスク装着時に前記記録禁止フラグ読出し判定手段により読み出された前記記録禁止フラグを記憶する記録禁止フラグメモリー手段と、ディスク装着時に前記記録禁止フラグメモリー手段に記憶された前記記録禁止フラグを確認し、記録禁止状態の時にディスク上の前記記録禁止フラグを記録可能状態に設定する第１の記録可能状態設定手段と、ディスクへの情報の記録の履歴を記憶する記録履歴情報記憶手段と、ディスク搬出時に前記記録履歴情報記憶手段の情報を確認し、記録が行われていた場合、もしくは前記ディスク装着時の記録禁止フラグメモリー手段に記憶された記録禁止フラグが記録禁止状態の時に、ディスク上の前記記録禁止フラグを記録禁止状態に設定する第１の記録禁止状態設定手段と、を備えるものである。尚、記録禁止フラグとは、ＤＶＤ−ＲＡＭの場合、Ｌｅａｄ−ｉｎのＤｉｓｋ  Ｉｄｅｎｔｉｆｉｃａｔｉｏｎ内にあるＷｒｉｔｅ  ｉｎｈｉｂｉｔ  ｆｌａｇを使用する。ＤＶＤ−ＲＷの場合は、Ｒｅｃｏｒｄｉｎｇ  Ｍａｎａｇｅｍｅｎｔ  Ａｒｅａ内のＲＭＤのＤｉｓｃ  Ｓｔａｔｕｓで表現されている。  これにより、他の機器と同じディスク記録媒体を使用するが、新しいファイルシステムなど他機器が認識できないファイルシステムを使用して記録するディスク記録再生装置において、ディスク装着時にディスクの物理的プロテクトである記録禁止フラグがオン（記録禁止）だった時にユーザーが意識することなく自動的にオフ（記録可能）設定し記録を可能となさしめ、その後、映像記録がされた後にディスクを取り出す時に、自動的に記録禁止フラグをオンにすることにより、ユーザーが意識することなく他の機器によるフォーマットなどの操作を禁止できるという作用を有する。
【００１１】
また、ディスクを取り出す時に記録履歴情報を確認し、記録が行われていた場合、もしくは記録が行われていないが記録禁止フラグメモリー手段に記憶されている記録禁止フラグがオンであった時にディスク上の記録禁止フラグをオンに設定することにより、ディスク装着されたが何も操作が行われなかった時に、ディスク装着時の記録禁止フラグに戻すことができるという作用を有する。
【００１２】
本発明のディスク記録再生装置は、記録媒体としてディスクを用いたディスク記録再生装置において、ディスクの特定領域に設定された記録済み部分に対する保護のための記録禁止フラグを読み出す記録禁止フラグ読出し判定手段と、前記記録禁止フラグを書き込む記録禁止フラグ書込み手段と、ディスク装着時に前記記録禁止フラグ読出し判定手段により読み出された前記記録禁止フラグを記憶する記録禁止フラグメモリー手段と、ディスクへの情報の記録開始時に、前記記録禁止フラグメモリー手段に記憶されている前記記録禁止フラグの状態を確認し、記録禁止状態の時にディスク上の前記記録禁止フラグの状態を記録可能状態に設定する第２の記録可能状態設定手段と、記録停止時にディスク上の前記記録禁止フラグの状態を記録禁止状態に設定する第２の記録禁止状態設定手段と、を備えるものである。
【００１３】
これにより、実際に記録操作が行われるまで記録禁止フラグをオフ設定しないため、ディスクが装着されたが何も操作が行われなかった時は記録禁止フラグの状態を確実に保持することができ、途中電源断などに対しても特別な制御をすること無く、記録禁止フラグの状態を維持することができるという作用を有する。
【００１４】
上記の構成に係るディスク記録再生装置において、自動記録保護モードと通常記録保護モードとを選択するモード選択手段と、通常記録保護モードが選択された時には、前記第１の記録禁止状態設定手段と前記第１の記録可能状態設定手段、若しくは前記第２の記録禁止状態設定手段と前記第２の記録可能状態設定手段による前記記録禁止フラグの制御を停止するモード制御手段と、を備えるとしても良い。
【００１５】
これにより、従来の機器のように記録禁止フラグが設定されていた時に記録を禁止し、記録後に自動的に記録禁止フラグを設定する機能自体をユーザーの好みに応じて使用することができるという作用を有する。
【００１６】
上記の構成に係るディスク記録再生装置において、ディスク搬出時に、前記記録履歴情報記憶手段の情報を確認し、ディスク上に記録情報が存在しない場合に、前記記録禁止フラグを記録可能状態に設定する第３の記録可能状態設定手段を備えるとしても良い。
【００１７】
これにより、本発明を実施した機器で一度でも記録を行った後に取り出したディスクは、記録禁止フラグがかかっているため、他の新しいファイルシステムを認識できない機器で使用する場合に、記録禁止フラグを直接オフ設定する機能を備えていない限り、決して使用できないディスクになる。そのため、ディスク取り出し時に保護すべき記録した動画が無い場合は、記録禁止フラグをオフにすることにより、他の既存の機器でもこのディスクを使用できるようにすることができるという作用を有する。
【００１８】
以下本発明の実施の形態について、図１から図４を用いて説明する。
【００１９】
（実施の形態１）
図１は本発明の第１の実施の形態におけるディスク記録再生装置の構成を示すブロック図である。図１において、１はディスク記録媒体であり、ＤＶＤ−ＲＡＭ、ＤＶＤ−ＲＷといった着脱可能なディスク記録媒体を示す。２はＷＩＦ書き込み手段で、ＷＩＦは記録禁止フラグ（Ｗｒｉｔｅ  Ｉｎｈｉｂｉｔ  Ｆｌａｇ）であり、光ディスク上のＬｅａｄ−ｉｎ領域にＲｅｗｒｉｔａｂｌｅ  ｄａｔａ  ｚｏｎｅがあり、その中のＤｉｓｋ  Ｉｄｅｎｔｉｆｉｃａｔｉｏｎ内にある記録禁止フラグ（Ｗｒｉｔｅ  ｉｎｈｉｂｉｔ  ｆｌａｇ）のことを示す。３はＷＩＦ読み出し判定手段、４はディスク認識時ＷＩＦ状態メモリー手段、５は第１のオフ設定手段、６は記録履歴情報記憶手段、７は第１のオン設定手段、８は第２のオフ設定手段、９は第２のオン設定手段、１０は第３のオフ設定手段を備えている。４のディスク認識時ＷＩＦ状態メモリー手段及び、記録履歴情報記憶手段で記憶するメモリーは途中電源断時に情報が消えないように不揮発性メモリーに保存することでも構成できる。
【００２０】
以上のように構成されたディスク記録再生装置について、以下その動作について説明する。
【００２１】
まず、ディスクが装着され、認識された時に、ディスク記録媒体１に書かれている物理的プロテクトであるＷＩＦをＷＩＦ読み出し判定手段３によりディスクより読み出し判定する。判定の結果ＷＩＦがオン／オフ状態をディスク認識時ＷＩＦ状態メモリー手段４に記憶する。その判定結果ＷＩＦがオン（記録禁止）であった時は、第１の記録可能状態設定手段５によりＷＩＦ書き込み手段２を介してディスク記録媒体１のＷＩＦをオフ（記録可能）にすることにより、以降、記録が可能となる。
【００２２】
その後ディスクの取り出し操作が行われるまでの間、記録操作が行われたどうかの履歴を記録履歴情報記憶手段６に記憶する。この場合の記録操作とはディスクに対して記録が行われる操作のすべてを指す。例えば、映像データ等の記録、映像データ等の削除、フォーマット、ファイナライズなどの操作も含まれる。
【００２３】
その後、ディスク取り出し操作が行われた場合、記録履歴情報記憶手段６の情報を確認し、記録操作が行われた場合、もしくは記録操作は行われないが、ディスク認識時ＷＩＦ状態メモリー手段４に記憶されたＷＩＦ状態がオンであった時に、第１の記録禁止状態設定手段７によりＷＩＦ書き込み手段２を通してディスク記録媒体１のＷＩＦをオンにする。
【００２４】
これによりディスクが装着されてから取り出すまでの間何も記録操作が行われなかった時は取り出したディスクのＷＩＦ状態は装着時と変わらないこととなる。また、取り出す時にＷＩＦオンに設定したディスクは、他の同じディスク記録媒体を使用するが、新しいファイルシステムを認識できない機器に装着しても、物理規格で規定されているＷＩＦにより記録禁止する動作となるため、ファイルシステムが認識できなかったとしても、フォーマットへ誘導することは無い。そのためディスクに記録された映像は保護されることとなる。また、これらのＷＩＦオフとオンを自動的に行うためユーザーは特に意識することなく使用できることとなる。
【００２５】
尚、第２の記録可能状態設定手段８は、ディスク認識時にＷＩＦがオンであった時にオフにするのではなく、実際に記録操作の開始が指示された時にオフ設定を行う。また、記録終了後に第２の記録禁止状態設定手段９によりオンに設定する。
【００２６】
これにより実際の動作に即したＷＩＦのオフ及びオン設定ができる。
【００２７】
また、第３の記録可能状態設定手段１０はディスク取り出し操作が行われた時に、ディスク記録媒体１に記録されている映像データの存在を確認し、無ければオンに設定するように動作する。これにより保護すべき映像データが無い場合は、他の機器でも書き込み可能とするようにＷＩＦをオフにするよう動作する。
【００２８】
（実施の形態２）
図２は本発明の第２の実施の形態におけるディスク記録再生装置の構成を示すブロック図である。図２において、第１の実施の形態と同じ構成要素は同じ番号を付与し、説明を省略する。
【００２９】
１１は記録保護モード設定手段であり、ユーザーにより自動記録保護モード、通常記録保護モードのいずれかを選択することができるようにしたものである。１２はモード制御手段であり、記録保護モード設定手段１１により設定された記録保護モードに応じて、それぞれの記録禁止状態（オン）設定手段および記録可能状態（オフ）設定手段を介してＷＩＦフラグのオン／オフを制御する。
【００３０】
図３は本発明の第２の実施の形態におけるディスク記録再生装置のディスク認識時に行う動作を示すフローチャートである。図４は本発明の第２の実施の形態におけるディスク記録再生装置のディスク取り出し時に行う動作を示すフローチャートである。以下、図３及び図４を用いて動作を説明する。
【００３１】
図３におけるディスク認識時について、ディスクがドライブにセットされた時に、ディスク認識を開始し、ステップ１０１にて認識が完了するまで待つ。ディスク認識が完了したらステップ１０２にて、ＷＩＦ読出し判定手段３によるＷＩＦフラグの読み出しを通じて、今回のＷＩＦフラグのオン／オフ制御に対応したディスクであるか確認する。例えばＤＶＤ−ＲＡＭ、ＤＶＤ−ＲＷといった物理的プロテクトのオン／オフ制御が可能なメディアを対応ディスクとして扱う。
【００３２】
次に対応メディアであった場合に、ＷＩＦ読出し判定手段３はＷＩＦフラグを読み出し、ＷＩＦ状態を確認し、ステップ１０３にてディスク認識時のＷＩＦ状態をディスク認識時ＷＩＦ状態メモリー手段４に記憶する。
【００３３】
ステップ１０４にて記録履歴情報記憶手段６を初期化し、記録履歴の管理を開始する。ステップ１０５にてディスク認識時のＷＩＦ状態がオンであるかどうかを確認し、オンであり、かつステップ１０６にて自動記録保護モードであった時に、ステップ１０７にてモード制御手段１２は、第１の記録可能状態設定手段を制御して、自動的にＷＩＦをオフ設定にして記録ができるようにする。尚、ステップ１０６にて確認した自動記録保護モードとは、記録保護モード設定手段１１によりユーザーが自動記録保護モード、通常記録保護モードのいずれかを選択することができるようにしたものである。自動記録保護モードとは本発明によるＷＩＦフラグのオン手段、オフ手段を実行するモードである。一方、通常記録保護モードとは物理規格に規定される通り、ＷＩＦがオンであった時に記録を禁止するように動作させ、ＷＩＦのオン、オフ制御を行わないモードである。
【００３４】
このようにして自動的にＷＩＦをオフ設定にして記録ができるようにした後、記録操作が行われたかどうかを記録履歴情報記憶手段６に記憶をする。その後、ディスク取り出し操作が行われた時に図４におけるディスク取り出し開始動作を行う。
【００３５】
まず、ステップ２０１においてディスク認識時と同様に対応ディスクかどうか確認する。もし対応ディスクの場合は、ステップ２０２において記録履歴情報記憶手段６の情報を確認し、記録履歴ありで、かつステップ２０３の確認で自動記録保護モードであった時は、ステップ２０４にてモード制御手段１２は、第１の記録禁止状態設定手段を制御して、自動的にＷＩＦをオンに設定する。これにより、以降、他の既存の機器に装着してもＷＩＦによる物理的プロテクトがかかっているためフォーマットなどの消去動作はできないこととなる。
【００３６】
一方、記録履歴が無い場合、つまりディスクが装着されてそのまま取り出された時、もしくは通常記録保護モードの場合は、ステップ２０５にてディスク認識時のＷＩＦ状態を確認し、オンであった時にステップ２０６にてＷＩＦオンに設定する。つまりディスク認識時のＷＩＦ状態と同じ状態に戻す処理を行う。
【００３７】
尚、実施の形態１及び２において、記録媒体としてディスクを用いた場合について説明したが、記録媒体はディスクに限るものではなく、ＳＤメモリカード等の半導体メモリカードであっても良い。
【産業上の利用可能性】
【００３８】
本発明のディスク記録再生装置によれば、同じディスク記録媒体を使用するが、新しいファイルシステムを認識できない他の機器に対して、ファイルシステム初期化（フォーマット）を誘致させないようにすることができ、カムコーダをはじめ、ＤＶＤレコーダ、ＰＣ等で有用である。
【図面の簡単な説明】
【００３９】
【図１】本発明の一実施の形態におけるディスク記録再生装置の構成を示すブロック図
【図２】本発明の他の実施の形態におけるディスク記録再生装置の構成を示すブロック図
【図３】本発明の一実施の形態におけるディスク記録再生装置のディスク認識時に行う動作を示すフローチャート
【図４】本発明の一実施の形態におけるディスク記録再生装置のディスク取り出し時に行う動作を示すフローチャート
【符号の説明】
【００４０】
１    ディスク記録媒体
２    ＷＩＦ（記録禁止フラグ）書き込み手段
３    ＷＩＦ（記録禁止フラグ）読み出し判定手段
４    ディスク認識時ＷＩＦ（記録禁止フラグ）状態メモリー手段
５    第１の記録可能状態設定手段
６    記録履歴情報記憶手段
７    第１の記録禁止状態設定手段
８    第２の記録可能状態設定手段
９    第２の記録禁止状態設定手段
１０    第３の記録可能状態設定手段
１１    記録保護モード設定手段
１２    モード制御手段
【図１】
2008117486.tif 000003
【図２】
2008117486.tif 000004
【図３】
2008117486.tif 000005
【図４】
2008117486.tif 000006